(57)【特許請求の範囲】
【請求項１】
軸流ファンの外ケースであるハウジングの外周部から中央部に数本のスポークを有し、前記スポークによって中央部分に回路部、ステータコア、巻線などからなるステータ部分とファンロータのシャフトを保持する軸受け機構を支持し、前記ステータ部分が保持、カバーされるハウジング中央部分が有底形状で外周壁を有する軸流ファンモータにおいて、前記数本のスポークによって構成される前記有底形状外周壁の複数箇所のスポークとスポークとの中間領域に、少なくとも一箇所以上の前記中間領域に一箇所以上の切り欠きまたは穴を設けたことを特徴とした軸流ファンモータ。
【請求項２】
ファンモータの回路部分に防水剤を塗布することによってコーティング処理された請求項１記載の軸流ファンモータ。
【請求項３】
ファンモータの回路部分に防水剤を塗布することによってコーティング処理され、前記回路部分から前記スポーク部へ引き出されるリード線の引き出し部分の隙間に防水剤を充填することによって塞いだ請求項１記載の軸流ファンモータ。
【発明の詳細な説明】
【０００１】
【発明の属する技術分野】
本発明は耐水性能を有する軸流ファンモータに関するものである。
【０００２】
【従来の技術】
軸流ファンモータの主な用途としては、屋内で使用されるプリンタや複写機といった事務機器の冷却が一般的用途であったが、ここ近年は床下換気扇等の屋外機器用ファンや電気自動車のバッテリー冷却等の車載用ファンなどその用途は拡大している。
【０００３】
事務機器用の軸流ファンモータはその使用環境から耐水性能は特に要求されないため、耐水性については特に何も設計的配慮がなされていないのが一般的であった。そのため、回路基板上に水滴が付着した場合には回路の誤動作や故障を招く可能性があった。
【０００４】
【発明が解決しようとする課題】
一方、屋外用機器に使用されるファンモータや車載用ファンモータにおいては、耐水性能が要求されている。
【０００５】
本発明は、軸流ファンモータの耐水性能を高めることを目的とする。
【０００６】
【課題を解決するための手段】
この課題を解決するために本発明の軸流ファンモータは、軸流ファンの外ケースであるハウジングの外周部から中央部に数本のスポークを有し、前記スポークによって中央部分に回路部、ステータコア、巻線などからなるステータ部分とファンロータのシャフトを保持する軸受機構を支持する構造をとり、前記ステータ部分が保持、カバーされるハウジング中央部分が有底形状であり、前記有底形状外周壁のスポークの間部分に、一箇所以上の切り欠きまたは穴を設けてある。
【０００７】
本発明によれば、軸流ファンモータの耐水性能を高めることができる。
【０００８】
【発明の実施の形態】
本発明の請求項１に記載の発明は、軸流ファンの外ケースであるハウジングの外周部から中央部に数本のスポークを有し、前記スポークによって中央部分に回路部、ステータコア、巻線などからなるステータ部分とファンロータのシャフトを保持する軸受機構を支持してなる軸流ファンモータにおいて、前記ステータ部分が保持、カバーされるハウジング中央部分が有底形状であり、前記有底形状外周壁のスポークの間部分に、水抜きを目的として一箇所以上の切り欠きまたは穴を設けたものであり、前記回路部分と対面する有底形状を有した前記ハウジング中央部分の裏側に付着した水滴を、前記有底形状外周壁のスポークの間部分に、水抜きを目的として設けられた一箇所以上の切り欠きまたは穴から速やかに逃すことができ、有底形状を有した前記ハウジング中央部分の裏側に付着した水滴が前記回路部分の表面に落下、付着し回路の誤動作や故障に至らしめることを防止するという作用を有する。
【０００９】
請求項２に記載の発明は、軸流ファンの外ケースであるハウジングの外周部から中央部に数本のスポークを有し、前記スポークによって中央部分に回路部、ステータコア、巻線などからなるステータ部分とファンロータのシャフトを保持する軸受機構を支持してなる軸流ファンモータにおいて、前記ステータ部分が保持、カバーされるハウジング中央部分が有底形状であり、前記有底形状外周壁のスポークの間部分に、水抜きを目的として一箇所以上の切り欠きまたは穴を設け、前記回路部分は防水剤を塗布することによってコーティング処理したものであり、前記回路部分の表面が結露したり、あるいは有底形状を有した前記ハウジング中央部分の裏側に付着した水滴が前記回路部分の表面に落下、付着し回路の誤動作や故障に至らしめることを防止するという作用を有する。
【００１０】
請求項３に記載の発明は、軸流ファンの外ケースであるハウジングの外周部から中央部に数本のスポークを有し、前記スポークによって中央部分に回路部、ステータコア、巻線などからなるステータ部分とファンロータのシャフトを保持する軸受機構を支持してなる軸流ファンモータにおいて、前記ステータ部分が保持、カバーされるハウジング中央部分が有底形状であり、前記有底形状外周壁のスポークの間部分に、水抜きを目的として一箇所以上の切り欠きまたは穴を設け、さらに前記回路部分に防水剤を塗布することによってコーティング処理し、前記回路部分から前記スポーク部へ引き出されるリード線の引き出し部分の隙間は防水剤を充填することによって塞いだものであり、前記回路部分と対面する有底形状を有する前記ハウジング中央部分の裏側に付着した水滴を前記有底形状外周壁のスポークの間部分に、水抜きを目的として設けられた一箇所以上の切り欠きまたは穴から速やかに逃すことができ、有底形状を有する前記ハウジング中央部分の裏側に付着した水滴が前記回路部分の表面に落下、付着し回路の誤動作や故障に至らしめることを防止でき、さらにはリード線を伝わって前記回路部分へ水滴が侵入することを防止するという作用を有する。
【００１１】
【実施例】
以下本発明の実施例について、図面を参照して説明する。
【００１２】
（実施例１）
図１（ａ）（ｂ）および（ｃ）において、１は軸流ファンの外ケースであるハウジング、２は回路部、３はステータコア、４は巻線、５はファンロータ、６は前記ファンロータのシャフト、７は前記シャフト６を保持する軸受機構である。８はステータ部であり前記回路部２、前記ステータコア３、前記巻線４、及び前記軸受機構７により構成されており前記ハウジング１の外周部から伸びた数本のスポークによって中央部に支持されている。さらに前記回路部２は前記ハウジング１の中央部によって外部への露出をカバーされている。また、前記回路部２をカバーしている前記ハウジング１の中央部は有底形状であり、前記有底形状外周壁のスポークの間部分には一箇所以上の切り欠き１０が設けてある。
【００１３】
事務機器用に用いられるような従来の軸流ファンモータには、前記切り欠き１０が無いために屋外や車載用というような耐水性を要求されるような使用環境で使用された場合には前記ハウジング１の中央部の裏側に水滴が浸入した場合に、その水滴を外部に逃すことができないが、上記のように切り欠き１０を設けることによって水滴を速やかに外部に逃すことができる。なお、前記切り欠き１０の形状は、穴形状であっても良い。
【００１４】
（実施例２）
図２（ａ）（ｂ）（ｃ）および（ｄ）において、１は軸流ファンの外ケースであるハウジング、２は回路部、３はステータコア、４は巻線、５はファンロータ、６は前記ファンロータのシャフト、７は前記シャフト６を保持する軸受機構である。８はステータ部であり前記回路部２、前記ステータコア３、前記巻線４、及び前記軸受機構７により構成されており前記ハウジング１の外周部から伸びた数本のスポークによって中央部に支持されいる。前記回路部２は前記ハウジング１の中央部によって外部への露出をカバーされている。さらに前記回路部２をカバーしている前記ハウジング１の中央部は有底形状であり、前記有底形状外周壁のスポークの間部分には一箇所以上の切り欠き１０が設けてある。以上は図１の構成と同様なものである。図１と異なるのは前記回路部２の表面を防水剤１１によってコーティング処理したことである。この場合に用いる前記防水剤１１としてはポリウレタンやシリコンによる防水剤が望ましい。
【００１５】
上記のような構成をとることによって、屋外や車載用というような耐水性を要求されるような使用環境で使用された場合には、有底形状を有する前記ハウジング１の中央部の裏側に水滴が浸入した場合に速やかに水滴を外部に逃すことが可能となるため、有底形状を有する前記ハウジング１の中央部分の裏側に付着した水滴が前記回路部２の表面に落下、付着し回路の誤動作や故障に至らしめることを防止することができると同時に前記回路部２の表面が結露を起こした場合にも回路の誤動作や故障を防止することが可能となり実施例１よりもさらに耐水性能を向上することが可能となる。
【００１６】
（実施例３）
図３（ａ）（ｂ）（ｃ）および（ｄ）において、１は軸流ファンの外ケースであるハウジング、２は回路部、３はステータコア、４は巻線、５はファンロータ、６は前記ファンロータのシャフト、７は前記シャフト６を保持する軸受機構である。８はステータ部であり前記回路部２、前記ステータコア３、前記巻線４、及び前記軸受機構７により構成されており前記ハウジング１の外周部から伸びた数本のスポークによって中央部に支持されている。さらに前記回路部２は前記ハウジング１の中央部によって外部への露出をカバーされている。また、前記回路部２をカバーしている前記ハウジング１の中央部は有底形状であり、前記有底形状外周壁のスポークの間部分には一箇所以上の切り欠き１０が設けてある。さらに、前記回路部２の表面はポリウレタンやシリコンなどによる防水剤１１によってコーティング処理されている。以上は図２の構成と同様なものである。図２と異なるのは前記回路部２から前記スポーク部へ引き出されるリード線２０の引き出し部分の隙間は前記防水剤１１を充填することによって塞いだことであり、前記回路部２と対面する有底形状を有した前記ハウジング１の中央部分の裏側に付着した水滴を前記有底形状外周壁のスポークの間部分に水抜きを目的として設けられた一箇所以上の切り欠き１０から速やかに逃すことにより、有底形状を有する前記ハウジング１の中央部分の裏側に付着した水滴が前記回路部２の表面に落下、付着し回路の誤動作や故障に至らしめることを防止でき、前記回路部２の表面が結露を起こした場合にも回路の誤動作や故障を防止することが可能となり、さらにはリード線を伝わって前記回路部２へ水滴が侵入することを防止することが可能となり実施例２よりも、さらにまた耐水性を向上した軸流ファンモータを実現している。
【００１７】
【発明の効果】
以上のように発明によれば、比較的容易に耐水性能を高めた軸流ファンモータを実現することができる。
【図面の簡単な説明】
【図１】（ａ）本発明の実施例を示す軸流ファンモータの正面図
（ｂ）本発明の実施例を示す軸流ファンモータの下方半断面図
（ｃ）（ｂ）のＡ方向矢視図
【図２】（ａ）本発明の他の実施例を示す軸流ファンモータの正面図
（ｂ）（ａ）のＢ−Ｂ’断面図
（ｃ）本発明の他の実施例を示す軸流ファンモータの下方半断面図
（ｄ）（ｃ）のＡ方向矢視図
【図３】（ａ）本発明のさらに他の実施例を示す軸流ファンモータの正面図
（ｂ）（ａ）のＢ−Ｂ’断面図
（ｃ）本発明のさらに他の実施例を示す軸流ファンモータの下方半断面図
（ｄ）（ｃ）のＡ方向矢視図
【符号の説明】
１  ハウジング
２  回路部
３  ステーコア
４  巻線
５  ファンロータ
６  シャフト
７  軸受機構
８  ステータ部
１０  切り欠き
１１  防水剤
２０  リード線
【図１】
0003817857.tif 000002
【図２】
0003817857.tif 000003
【図３】
0003817857.tif 000004